(57)【特許請求の範囲】
【請求項１】
車両制御装置と携帯機を相互に無線通信可能として構成された車両制御システムであって、前記車両制御装置から無線送信された応答要求信号に基づいて前記携帯機が応答信号を無線送信し、当該応答信号を所定の態様で受信したことを条件の少なくとも一つとして前記車両制御装置が車両の所定機器を制御する車両制御システム、を介して前記所定機器を遠隔操作する車両遠隔操作システムであって、
前記車両制御装置と通信可能な車載中継機、を備え、
前記車載中継機は、
前記応答信号として機能する疑似応答信号を送信する送信態様を特定する情報である送信態様特定情報を格納する車載中継機側送信態様特定情報格納手段と、
前記車両制御装置から送信された前記応答要求信号を受信した場合に、前記車載中継機側送信態様特定情報格納手段に格納されている前記送信態様特定情報に基づいて、前記疑似応答信号を前記車両制御装置に送信する通信手段と、を備える、
車両遠隔操作システム。
【請求項２】
前記所定の態様は、所定のタイミングであり、
前記車載中継機の前記車載中継機側送信態様特定情報格納手段は、前記疑似応答信号を送信する送信タイミングを特定する情報である送信タイミング特定情報を、前記送信態様特定情報として格納する車載中継機側送信タイミング特定情報格納手段、を有しており、
前記車載中継機の前記通信手段は、前記車両制御装置から送信された前記応答要求信号を受信した場合に、前記車載中継機側送信タイミング特定情報格納手段に格納されている前記送信タイミング特定情報に基づいて、前記疑似応答信号を前記車両制御装置に送信する、
請求項１に記載の車両遠隔操作システム。
【請求項３】
前記携帯機は、複数設けられており、
前記車載中継機の前記車載中継機側送信タイミング特定情報格納手段は、複数の前記携帯機各々に対応付けられている前記送信タイミングを特定する情報を、前記送信タイミング特定情報として格納し、
前記車両遠隔操作システムは、
前記車載中継機と通信可能な携帯中継機、を備え、
前記携帯中継機は、
前記携帯機を特定する携帯機特定情報を格納する携帯機特定情報格納手段と、
前記携帯機特定情報格納手段に格納されている前記携帯機特定情報を前記車載中継機に無線送信する通信手段と、を備え、
前記車載中継機の前記通信手段は、前記携帯中継機から無線送信された前記携帯機特定情報を受信し、前記車載中継機側送信タイミング特定情報格納手段に格納されている前記送信タイミング特定情報における、当該受信した携帯機特定情報に対応する前記送信タイミングに基づいて、前記疑似応答信号を前記車両制御装置に送信する、
請求項２に記載の車両遠隔操作システム。
【請求項４】
前記車載中継機の前記通信手段は、前記車両制御装置から送信された前記応答要求信号を受信して前記携帯中継機に無線送信し、
前記携帯中継機の前記通信手段は、前記車載中継機から無線送信された前記応答要求信号を受信して前記携帯機に送信すると共に、前記携帯機から前記応答要求信号に基づいて送信された前記応答信号を受信し、
前記携帯中継機は、
複数の前記携帯機各々に対応付けられている前記送信タイミングを特定する情報を、前記送信タイミング特定情報として格納する携帯中継機側送信タイミング特定情報格納手段と、
前記携帯中継機の前記通信手段が前記応答要求信号を送信してから、前記携帯中継機の前記通信手段が前記応答信号を受信するまでの時間を計時する計時手段と、
前記携帯中継機側送信タイミング特定情報格納手段に格納されている前記送信タイミング特定情報に基づいて、前記携帯機特定情報格納手段に格納されている前記携帯機特定情報が、前記計時手段の計時結果に対応しているか否かを判定する判定手段と、
前記判定手段の判定結果に基づいて、前記携帯中継機の前記携帯機特定情報格納手段に格納されている前記携帯機特定情報を更新する情報更新手段と、を備える、
請求項３に記載の車両遠隔操作システム。
【請求項５】
車両制御装置と携帯機を相互に無線通信可能として構成された車両制御システムであって、前記車両制御装置から無線送信された応答要求信号に基づいて前記携帯機が応答信号を無線送信し、当該応答信号を所定の態様で受信したことを条件の少なくとも一つとして前記車両制御装置が車両の所定機器を制御する車両制御システム、を介して前記所定機器を遠隔操作する車両遠隔操作システム、を構成する車載中継機であって、
前記応答信号として機能する疑似応答信号を送信する送信態様を特定する情報である送信態様特定情報を格納する車載中継機側送信態様特定情報格納手段と、
前記車両制御装置から送信された前記応答要求信号を受信した場合に、前記車載中継機側送信態様特定情報格納手段に格納されている前記送信態様特定情報に基づいて、前記疑似応答信号を前記車両制御装置に送信する通信手段と、を備える、
車載中継機。
【発明の詳細な説明】
【技術分野】
【０００１】
本発明は、車両遠隔操作システム、及び車載中継機に関する。
【背景技術】
【０００２】
車両のエンジン等の各種の機器を運転者の操作に応じて始動等するための車両制御システムは、車内に装着された車両制御装置と、車両の運転者が携帯可能な携帯機（リモコンキー）とを備えて構成されている。そして、運転者が車両のキーシリンダに携帯機を挿入した場合、この携帯機に暗号化状態で記憶されている認証情報を車両制御装置が無線通信により取得し、この認証情報が車両制御装置に記憶されている認証情報に合致することを条件の一つとして、車両制御装置がエンジンを始動させる等の各種の制御を行う。
【０００３】
また、近年では、運転者がキーシリンダに携帯機を挿入しなくても、運転者が携帯機を保有した状態で車両に乗り込むだけで、認証情報の無線通信が行われるキーレスエントリー式の車両制御システムも普及してきている。このような車両制御システムでは、車両制御装置が応答要求信号を車内にＬＦ（Low Frequency）で無線送信し、この応答要求信号を無線受信した携帯機が、認証情報を含む応答信号をＵＨＦ（Ultra High Frequency）で無線送信する。この応答信号を無線受信した車両制御装置は、応答信号を応答周波数にて無線受信することを条件の一つとして、エンジンの始動等の制御を行う。
【０００４】
また、このような各種の車両制御システムを備えた車両を対象として、寒冷地における暖気運転等の様々な目的のために、エンジンやエアコン等の各種の機器を車外から操作するための車両遠隔操作システム（エンジンスタータ）が提案されている（例えば、特許文献１）。この車両遠隔操作システムは、運転者が保有する携帯中継機と、車両に搭載される車載中継機とを備えて構成されている。そして、これらの携帯中継機及び車載中継機は、車両制御装置から送信された応答要求信号が、ＬＦにて携帯機に無線送信されるように中継すると共に、この応答要求信号を応答要求周波数にて受信したことを条件として携帯機から送信された応答信号が、ＵＨＦにて車両制御装置に無線送信されるように中継することにより、エンジンの始動等の制御を行っていた。
【先行技術文献】
【特許文献】
【０００５】
【特許文献１】特開２０１４−４９７７０号公報
【発明の概要】
【発明が解決しようとする課題】
【０００６】
しかしながら、車両制御システムによっては、車両制御装置が応答信号を所定の態様（例えば、応答要求信号を送信してから極めて短時間）にて無線受信することが、当該車両制御装置がエンジン始動等の制御を行うための条件の１つとして定められていたりすることがある。この場合、特許文献１の車両遠隔操作システムを用いて操作したとしても、車両制御装置と携帯機との間における車両遠隔操作システムによる通信の中継に比較的長時間を要してしまい、エンジン始動等の制御を行うための条件を満たすことができずに、エンジンの始動等を制御することができなくなる可能性があった。従って、この車両遠隔操作システムについては、車両を確実に遠隔操作するという観点において、改善の余地があった。
【０００７】
本発明は、上記に鑑みてなされたものであって、車両を確実に遠隔操作することが可能になる、車両遠隔操作システム、及び車載中継機を提供することを目的とする。
【課題を解決するための手段】
【０００８】
上述した課題を解決し、目的を達成するために、請求項１に記載の車両遠隔操作システムは、車両制御装置と携帯機を相互に無線通信可能として構成された車両制御システムであって、前記車両制御装置から無線送信された応答要求信号に基づいて前記携帯機が応答信号を無線送信し、当該応答信号を所定の態様で受信したことを条件の少なくとも一つとして前記車両制御装置が車両の所定機器を制御する車両制御システム、を介して前記所定機器を遠隔操作する車両遠隔操作システムであって、前記車両制御装置と通信可能な車載中継機、を備え、前記車載中継機は、前記応答信号として機能する疑似応答信号を送信する送信態様を特定する情報である送信態様特定情報を格納する車載中継機側送信態様特定情報格納手段と、前記車両制御装置から送信された前記応答要求信号を受信した場合に、前記車載中継機側送信態様特定情報格納手段に格納されている前記送信態様特定情報に基づいて、前記疑似応答信号を前記車両制御装置に送信する通信手段とを備える。
【０００９】
また、請求項２に記載の車両遠隔操作システムは、請求項１に記載の車両遠隔操作システムにおいて、前記所定の態様は、所定のタイミングであり、前記車載中継機の前記車載中継機側送信態様特定情報格納手段は、前記疑似応答信号を送信する送信タイミングを特定する情報である送信タイミング特定情報を、前記送信態様特定情報として格納する車載中継機側送信タイミング特定情報格納手段、を有しており、前記車載中継機の前記通信手段は、前記車両制御装置から送信された前記応答要求信号を受信した場合に、前記車載中継機側送信タイミング特定情報格納手段に格納されている前記送信タイミング特定情報に基づいて、前記疑似応答信号を前記車両制御装置に送信する。
【００１０】
また、請求項３に記載の車両遠隔操作システムは、請求項２に記載の車両遠隔操作システムにおいて、前記携帯機は、複数設けられており、前記車載中継機の前記車載中継機側送信タイミング特定情報格納手段は、複数の前記携帯機各々に対応付けられている前記送信タイミングを特定する情報を、前記送信タイミング特定情報として格納し、前記車両遠隔操作システムは、前記車載中継機と通信可能な携帯中継機、を備え、前記携帯中継機は、前記携帯機を特定する携帯機特定情報を格納する携帯機特定情報格納手段と、前記携帯機特定情報格納手段に格納されている前記携帯機特定情報を前記車載中継機に無線送信する通信手段とを備え、前記車載中継機の前記通信手段は、前記携帯中継機から無線送信された前記携帯機特定情報を受信し、前記車載中継機側送信タイミング特定情報格納手段に格納されている前記送信タイミング特定情報における、当該受信した携帯機特定情報に対応する前記送信タイミングに基づいて、前記疑似応答信号を前記車両制御装置に送信する。
【００１１】
また、請求項４に記載の車両遠隔操作システムは、請求項３に記載の車両遠隔操作システムにおいて、前記車載中継機の前記通信手段は、前記車両制御装置から送信された前記応答要求信号を受信して前記携帯中継機に無線送信し、前記携帯中継機の前記通信手段は、前記車載中継機から無線送信された前記応答要求信号を受信して前記携帯機に送信すると共に、前記携帯機から前記応答要求信号に基づいて送信された前記応答信号を受信し、前記携帯中継機は、複数の前記携帯機各々に対応付けられている前記送信タイミングを特定する情報を、前記送信タイミング特定情報として格納する携帯中継機側送信タイミング特定情報格納手段と、前記携帯中継機の前記通信手段が前記応答要求信号を送信してから、前記携帯中継機の前記通信手段が前記応答信号を受信するまでの時間を計時する計時手段と、前記携帯中継機側送信タイミング特定情報格納手段に格納されている前記送信タイミング特定情報に基づいて、前記携帯機特定情報格納手段に格納されている前記携帯機特定情報が、前記計時手段の計時結果に対応しているか否かを判定する判定手段と、前記判定手段の判定結果に基づいて、前記携帯中継機の前記携帯機特定情報格納手段に格納されている前記携帯機特定情報を更新する情報更新手段とを備える。
【００１２】
また、請求項５に記載の車載中継機は、車両制御装置と携帯機を相互に無線通信可能として構成された車両制御システムであって、前記車両制御装置から無線送信された応答要求信号に基づいて前記携帯機が応答信号を無線送信し、当該応答信号を所定の態様で受信したことを条件の少なくとも一つとして前記車両制御装置が車両の所定機器を制御する車両制御システム、を介して前記所定機器を遠隔操作する車両遠隔操作システム、を構成する車載中継機であって、前記応答信号として機能する疑似応答信号を送信する送信態様を特定する情報である送信態様特定情報を格納する車載中継機側送信態様特定情報格納手段と、前記車両制御装置から送信された前記応答要求信号を受信した場合に、前記車載中継機側送信態様特定情報格納手段に格納されている前記送信態様特定情報に基づいて、前記疑似応答信号を前記車両制御装置に送信する通信手段とを備える。
【発明の効果】
【００１３】
請求項１に記載の車両遠隔操作システム、又は請求項５に記載の車載中継機によれば、車両制御装置から送信された応答要求信号を受信した場合に、車載中継機側送信態様特定情報格納手段に格納されている送信態様特定情報に基づいて、疑似応答信号を車両制御装置に送信するために、例えば、所定の態様にて疑似応答信号を送信することができるので、車両制御装置が車両を制御するための条件を満たすことができ、車両を確実に遠隔操作することが可能になる。
【００１４】
請求項２に記載の車両遠隔操作システムによれば、車両制御装置から送信された応答要求信号を受信した場合に、車載中継機側送信タイミング特定情報格納手段に格納されている送信タイミング特定情報に基づいて、疑似応答信号を車両制御装置に送信するために、例えば、応答要求信号を受信してから極めて短時間で疑似応答信号を送信することができるので、車両制御装置が車両を制御するための条件を満たすことができ、車両を確実に遠隔操作することが可能になる。
【００１５】
また、請求項３に記載の車両遠隔操作システムによれば、携帯中継機から無線送信された携帯機特定情報を受信し、車載中継機側送信タイミング特定情報格納手段に格納されている送信タイミング特定情報における、当該受信した携帯機特定情報に対応する送信タイミングに基づいて、疑似応答信号を車両制御装置に送信するために、例えば、複数の携帯機各々において適切な送信タイミングで、疑似応答信号を送信することができるので、車両制御装置が車両を制御するための条件を確実に満たすことができ、車両を確実に遠隔操作することが可能になる。
【００１６】
また、請求項４に記載の車両遠隔操作システムによれば、携帯機特定情報格納手段に格納されている携帯機特定情報が、計時手段の計時結果に対応しているか否かを判定し、当該判定の結果に基づいて、携帯中継機の携帯機特定情報格納手段に格納されている携帯機特定情報を更新するために、例えば、携帯機特定情報格納手段に格納されている携帯機特定情報を適切な情報に更新することができるので、車両制御装置が車両を制御するための条件を確実に満たすことができ、車両を確実に遠隔操作することが可能になる。
【図面の簡単な説明】
【００１７】
【図１】本発明の実施の形態に係る車両遠隔操作システムを車両制御システムと共に示すブロック図である。
【図２】車載中継機側送信タイミング特定情報の一例を示す図である。
【図３】車両遠隔操作システムを介さずに、車両制御システムの車両制御装置と携帯機とが直接通信する場合における、起動応答要求信号に対する起動応答信号のタイミングの一例を示す図である。
【図４】携帯中継機側送信タイミング特定情報の一例を示す図である。
【図５】車両遠隔操作処理のフローチャートである。
【図６】図５に続く、車両遠隔操作処理のフローチャートである。
【発明を実施するための形態】
【００１８】
以下に添付図面を参照して、この発明の実施の形態を詳細に説明する。ただし、実施の形態によって本発明が限定されるものではない。
【００１９】
〔実施の形態〕
以下に添付図面を参照して、この発明の実施の形態を詳細に説明する。ただし、この実施の形態によって本発明が限定されるものではない。
【００２０】
（概要）
最初に、本実施の形態に係る車両遠隔操作システムの概要について説明する。図１は、本実施の形態に係る車両遠隔操作システム１を車両制御システム１００と共に示すブロック図である（なお、図１において、有線通信経路は直線矢印で示し、無線通信経路は折れ線矢印で示す）。
【００２１】
「車両遠隔操作システム」１は、車両の所定機器を制御する車両制御システム１００を介して、当該所定機器を遠隔操作するためのシステムである。ここで、「車両制御システム」１００は、車両制御装置１１０と携帯機１２０とを相互に無線通信可能として構成されたシステムである。「車両制御装置」１１０は、車両の所定機器を制御するために車内に設置された装置であり、例えば、ＥＣＵ（Engine Control Unit）に対してＣＡＮ（Controller Area Network）等にて通信可能に有線接続された装置である。「携帯機」１２０は、車両制御装置１１０を介して車両の所定機器を制御するために運転者が携帯することが可能なものであり、車両毎に予め対応付けられているいわゆるリモコンキーである。この「携帯機」１２０は、互いに同じ車両に対応付けられている任意の数（例えば、単数又は複数）の主携帯機及び予備携帯機の総称である。「主携帯機」とは、１つの車両の所定機器を制御するために、ユーザによって主に用いられる携帯機（つまり、いわゆるマスターリモコンキー）であり、「予備携帯機」とは、当該主携帯機によって制御される１つの車両の所定機器を主携帯機の代わりに制御するために、ユーザによって予備的に用いられる携帯機（つまり、いわゆるスペアリモコンキー）である。そして、以下の説明では、「主携帯機」及び「予備携帯機」が１つずつ設けられているものとし、「主携帯機」及び「予備携帯機」を互いに区別する必要が無い場合には、「携帯機１２０」と総称して説明する。また、「所定機器」の具体的な種類や、この所定機器に対する具体的な制御内容は、任意であり、例えば、エンジンの始動や停止、エアコンの始動や停止、ドアのロックやアンロック、セキュリテーシステムの起動や解除、車内の室温等の各種の車両情報の出力等が該当する。以下では、「エンジンの始動」を行う場合について例示する。
【００２２】
このエンジンの始動を行うための公知の処理として、車両制御システム１００は、以下の処理を行うものとする。すなわち、この処理では、車両制御装置１１０が車内における携帯機１２０の存在を確認するための「起動シーケンス」と、車両制御装置１１０が携帯機１２０を認証するための「認証シーケンス」が、順次実行される。
【００２３】
「起動シーケンス」においては、運転者又は任意の事象に基づく所定の起動操作（以下では、運転者による車内のエンジン始動スイッチの操作）が行われると、車両制御装置１１０は起動応答要求信号を応答要求周波数で無線送信する。ここで、「起動応答要求信号」は、車両制御装置１１０から携帯機１２０に対して応答を要求するための信号であり、そのフォーマットや情報内容は任意である。また、「応答要求周波数」は、例えば、送信範囲が車内のみとなるように調整可能な周波数であり、この場合には、運転者が保有する携帯機１２０が車両制御装置１１０に対する所定範囲内（代表的には、車内）に存在する場合にのみ、この起動応答要求信号が携帯機１２０にて受信される。
【００２４】
この起動応答要求信号を受信した携帯機１２０は、自己に設定されている態様であるタイミング（つまり、後述する「各携帯機１２０に対して一意に定められたタイミング」）にて、起動応答信号を応答周波数で無線送信する。ここで、「起動応答信号」は、車両制御装置１１０から送信された起動応答要求信号を正当な携帯機１２０が受信したことを、携帯機１２０から車両制御装置１１０に報知するための信号であり、そのフォーマットや情報内容は任意であって、例えば、各携帯機１２０に対して一意に定められたタイミングにて送信される無変調キャリアからなる信号である。ここで、「各携帯機１２０に対して一意に定められたタイミング」とは、主携帯機としての携帯機１２０及び予備携帯機としての携帯機１２０各々に対して一意に定められたタイミングであり、このタイミングについては任意に設定することが可能であるが、ここでは、以下に示すように設定されているものとして説明する。具体的には、「主携帯機としての携帯機１２０に対して一意に定められたタイミング」が、「主携帯機としての携帯機１２０が起動応答要求信号を受信してからＴ１ミリ秒後（なお、「Ｔ１」は、０より大きい実数値）」に設定されており、「予備携帯機としての携帯機１２０に対して一意に定められたタイミング」が、「予備携帯機としての携帯機１２０が起動応答要求信号を受信してからＴ２ミリ秒後（なお、「Ｔ２」は、Ｔ１より大きい実数値）」に設定されているものとする。また、「無変調キャリア」とは、情報の変調が行われおらず、キャリア（つまり、搬送波）のみの信号である。この無変調キャリアの数については任意に設定することが可能であるが、例えば、１つのみに設定されているものとして以下説明する。
【００２５】
この起動応答信号を受信した車両制御装置１１０は、当該起動応答信号を解析し、所定の認証シーケンス開始条件が満たされているか否かを判定する。ここで、「認証シーケンス開始条件」の具体的内容は任意であるが、以下では、予め設定されているタイミング（所定の態様）にて起動応答信号を受信したこと、を認証シーケンス開始条件として説明する。「予め設定されているタイミング」とは、各携帯機１２０を特定するためのタイミングであり、具体的には、前述の「各携帯機１２０に対して一意に定められたタイミング」に対応する２つのタイミングであって、「主携帯機としての携帯機１２０に対応するタイミング」としての起動応答要求信号を送信してからＴ１ミリ秒後（以下、主携帯機のタイミング）と、「予備携帯機としての携帯機１２０に対応するタイミング」としての起動応答要求信号を送信してからＴ２ミリ秒後（以下、予備携帯機のタイミング）である。そして、所定の認証シーケンス開始条件が満たされている場合にのみ、認証シーケンスに移行する。
【００２６】
「認証シーケンス」は、起動シーケンスと同様の通信を行うものであり、特記しない点については、起動シーケンスの説明における「起動」を「認証」に読み替えたものとして説明することができる。すなわち、車両制御装置１１０は、起動応答信号を受信したタイミングに基づいて、起動応答信号を送信した携帯機１２０を特定し、特定した携帯機１２０（つまり、主携帯機又は予備携帯機）に対応付けられているチャレンジコードを含む認証応答要求信号を応答要求周波数で無線送信する。ここで、「チャレンジコード」とは、携帯機１２０を認証するための情報であり、具体的には、主携帯機としての携帯機１２０を認証するための情報（以下、主携帯機のためのチャレンジコード）、又は、予備携帯機としての携帯機１２０を認証するための情報（以下、予備携帯機のためのチャレンジコード）に対応する情報である。この認証応答要求信号を受信した携帯機１２０は、認証応答信号を応答周波数で無線送信する。ここで、「認証応答信号」は、車両制御装置１１０から送信された認証応答要求信号を正当な携帯機１２０が受信したことを、携帯機１２０から車両制御装置１１０に報知するための信号であり、そのフォーマットや情報内容は任意であって、例えば、携帯機１２０に記憶された認証情報を認証応答信号に含めて送信することができる。認証応答信号を受信した車両制御装置１１０は、当該認証応答信号を解析し、所定の制御条件が満たされているか否かを判定し、所定の制御条件が満たされている場合にのみ、エンジンを始動するための所定制御を行う。
【００２７】
ここで、「制御条件」の具体的内容は任意であるが、以下では、１）車両のエンジン始動スイッチ（イグニッションスイッチ）の操作とブレーキの操作とが行われており、２）認証応答信号に含まれる認証情報が車両制御装置１１０に予め記憶された認証情報と一致しており、かつ、３）起動応答要求信号を送信してから所定時間（例えば、１秒。以下、「条件充足時間」と称する）以内に、上記１）と２）の条件の充足を確認できたこと、を制御条件として説明する。なお、上記２）の条件に関しては、実際には、公知のローリングコード方式並びにチャレンジレスポンス方式等により認証情報が毎回変更される場合があり、本発明はこのような場合にも同様に適応可能なものであるが、以下では認証情報が固定されている場合について説明する。
【００２８】
一方、図１において、「車両遠隔操作システム」１は、上述したように、車両の所定機器を制御する車両制御システム１００を介して、当該所定機器を遠隔操作するためのシステムである。この車両遠隔操作システム１は、車載中継機１０と携帯中継機２０とを相互に無線通信可能として構成されたシステムである。これら各機の詳細については後述する。
【００２９】
以下の説明において、複数の機器の相互間における信号や情報の通信、送信、又は受信に関して、無線にて行う場合には、「無線通信」、「無線送信」、又は「無線受信」と特記するが、この特記がない場合には、無線と有線のいずれで行うこともできるものとする。また、複数の機器の相互間における無線通信方式に関して、「単信方式」とは、一方の機器から他方の機器への一方向の通信のみを一つの周波数を使用して行う方式を意味し、「半復信方式」とは、一方の機器から他方の機器への方向の通信とその逆方向の通信を一つの周波数を使用して行う方式を意味し、「復信方式」とは、一方の機器から他方の機器への方向の通信とその逆方向の通信を２つの周波数を使用して行う方式を意味するものとする。また、「起動応答要求信号」と「認証応答要求信号」を相互に特に区別する必要がない場合には、これらを「応答要求信号」と総称する。同様に、「起動応答信号」と「認証応答信号」を相互に特に区別する必要がない場合には、これらを「応答信号」と総称する。
【００３０】
（構成−車両制御システム−車両制御装置）
次に、車両制御システム１００と車両遠隔操作システム１の構成について説明する。最初に、車両制御システム１００の構成について説明する。車両制御システム１００の車両制御装置１１０は、基本送受信回路１１１を備えて構成されている。この基本送受信回路１１１は、応答要求信号及び応答信号の送受信を行うための基本送受信手段であり（以下、後述する基本送受信回路１３、２３、１２１についても同じ）、応答要求信号を応答要求周波数で無線送信する応答要求信号送信回路１１２と、応答周波数で送信された応答信号を受信する応答信号受信回路１１３を備えている。また、図示は省略するが、車両制御装置１１０は、当該車両制御装置１１０の各部を制御するＭＰＵ（Micro Processing Unit）と、認証情報を不揮発的に記憶する記憶部と、無線通信を行うためのアンテナと、車両の各種の機器から有線出力を受け付ける接点端子を備える。この接点端子としては、車両のエンジン始動スイッチが操作された場合の出力（以下、エンジン始動操作出力）を受け付けるエンジン操作接点端子と、車両のブレーキが操作された場合の出力（以下、ブレーキ操作出力）を受け付けるブレーキ操作接点端子が設けられている。ただし、車両制御装置１１０は従来と同様に構成することができるので、その詳細な説明は省略する。
【００３１】
（構成−車両制御システム−携帯機）
車両制御システム１００の携帯機１２０は、基本送受信回路１２１を備えて構成されている。この基本送受信回路１２１は、応答要求周波数で送信された応答要求信号を受信する応答要求信号受信回路１２２と、応答信号を応答周波数で無線送信する応答信号送信回路１２３を備えている。また、図示は省略するが、携帯機１２０は、当該携帯機１２０の各部を制御するＭＰＵと、認証情報を不揮発的に記憶する記憶部と、無線通信を行うためのアンテナと、電源となる電池を備える。ただし、携帯機１２０は従来と同様に構成することができるので、その詳細な説明は省略する。
【００３２】
（構成−車両遠隔操作システム−車載中継機）
次に、車両遠隔操作システム１の構成について説明する。車両遠隔操作システム１の車載中継機１０は、車両制御装置１１０及び携帯中継機２０と通信するための送受信回路１１と、出力部１２と、記憶部３１と、制御部３２を備えて構成されている。
【００３３】
送受信回路１１は、具体的には、基本送受信回路１３と、中継送受信回路１４を備える。基本送受信回路１３は、車両制御装置１１０との間で無線通信を行う基本送受信手段であって、車両制御装置１１０から応答要求周波数で無線送信された応答要求信号を受信する応答要求信号受信回路１５と、携帯中継機２０から送信された応答信号を応答周波数で車両制御装置１１０に無線送信する応答信号送信回路１６（通信手段）を備える。中継送受信回路１４は、携帯中継機２０との間で無線通信を行う中継送受信手段であって、携帯中継機２０から所定の第１中継周波数で無線送信された操作信号及び応答信号を受信する第１中継受信回路１７と、応答要求信号受信回路１５にて受信された応答要求信号を第１中継周波数で携帯中継機２０に無線送信する第１中継送信回路１８を備える。
【００３４】
出力部１２は、車両の所定機器に対する制御条件を構成する条件出力を車両制御装置１１０に行う出力手段であり、本実施の形態では、エンジン始動操作出力とブレーキ操作出力を出力する。より具体的には、図示は省略するが、車載中継機１０には、エンジン始動操作出力を行うためのエンジン操作接点端子と、ブレーキ操作出力を行うためのブレーキ操作接点端子が設けられており、このエンジン操作接点端子は車両制御装置１１０のエンジン操作接点端子に有線接続されると共に、ブレーキ操作接点端子は車両制御装置１１０のブレーキ操作接点端子に有線接続されている。そして、出力部１２は、エンジン操作接点端子を介してエンジン始動操作出力を出力し、ブレーキ操作接点端子を介してブレーキ始動操作出力を出力する。
【００３５】
記憶部３１は、車載中継機１０の動作に必要なプログラム及び各種のデータを格納する格納手段であり、具体的には、車載中継機側送信タイミング特定情報（車載中継機側送信態様特定情報）を格納している車載中継機側送信タイミング特定情報格納手段（車載中継機側送信態様特定情報格納手段）である。
【００３６】
図２は、車載中継機側送信タイミング特定情報の一例を示す図である。「車載中継機側送信タイミング特定情報」とは、疑似起動応答信号を送信する送信タイミングを特定する情報であり、図２に示すように、項目「携帯機」及び項目「送信タイミング」と、各項目に対応する情報とを、相互に関連付けて構成されている。ここで、「疑似起動応答信号」とは、疑似的な起動応答信号であって、起動応答信号として機能する信号であり、具体的には、フォーマット、情報内容、又は送信タイミングにおいて起動応答信号と同様な信号であって、例えば、無変調キャリアである。なお、「フォーマット、情報内容、又は送信タイミングにおいて応答信号と同様」とは、疑似起動応答信号を受信した図１の車両制御装置１１０が、起動応答信号を受信した場合と同一の動作を行う程度似ていることを示している。図２に戻って、項目「携帯機」に対応する情報は、携帯機を一意に識別するための識別情報であり、具体的には、キーナンバーである（図２では、「ＫＩＤ０１」、「ＫＩＤ０２」）。ここでは、図２の「ＫＩＤ０１」は、主携帯機としての携帯機１２０のキーナンバーを示しており、図２の「ＫＩＤ０２」は、予備携帯機としての携帯機１２０のキーナンバーを示している項目「送信タイミング」に対応する情報は、疑似起動応答信号を送信するタイミングを特定する情報であり、具体的には、携帯機毎（つまり、主携帯機及び予備携帯機としての携帯機１２０毎）に対応付けられている後述の送信開始時間である（図２では、「Ｔ１ミリ秒」、「Ｔ２ミリ秒」）。「送信開始時間」とは、疑似起動応答信号を送信するべき時間であり、具体的には、図１の車載中継機１０が起動応答要求信号を受信した時間に対する、疑似起動応答信号を送信するべき時間である。そして、このような車載中継機側送信タイミング特定情報については、起動応答要求信号に対する起動応答信号のタイミング（つまり、前述の主携帯機のタイミング、及び予備携帯機のタイミング）を、各車両の各携帯機についての試験により予め特定しておき、当該特定結果に基づいて車両遠隔操作システム１を設置する車両のメーカーや車種に応じた送信開始時間を特定し、当該特定結果を格納する。なお、メーカーや車種に応じた送信開始時間を特定する手法としては、任意の手法を用いることができるが、以下に示す手法を用いることもできる。
【００３７】
この手法について具体的には、起動応答要求信号に対する起動応答信号のタイミングを特定し、当該特定結果に基づいて送信開始時間を特定する。
【００３８】
ここで、図３は、車両遠隔操作システムを介さずに、車両制御システムの車両制御装置と携帯機とが直接通信する場合における、起動応答要求信号に対する起動応答信号のタイミングの一例を示す図である。そして、この図３において、起動応答要求信号ＳＩＧ１は、車両制御装置１１０が携帯機１２０に送信した起動応答要求信号である。また、起動応答信号ＳＩＧ２は、起動応答要求信号ＳＩＧ１への応答として、主携帯機としての携帯機１２０から送信されて、車両制御装置１１０が受信した起動応答信号（例えば、無変調キャリア）であり、起動応答要求信号ＳＩＧ１に対して所定時間（例えば、Ｔ１ミリ秒）遅れている信号である。また、起動応答信号ＳＩＧ３は、起動応答要求信号ＳＩＧ１への応答として、予備携帯機としての携帯機１２０によって送信されて、車両制御装置１１０が受信した起動応答信号（例えば、無変調キャリア）であり、起動応答要求信号ＳＩＧ１に対して所定時間（例えば、Ｔ２ミリ秒）遅れている信号である。
【００３９】
このような図３の場合において送信開始時間を特定する手法について具体的には、まず、「起動応答要求信号に対する起動応答信号のタイミング」として、起動応答要求信号ＳＩＧ１と起動応答信号ＳＩＧ２との間の時間、及び、起動応答要求信号ＳＩＧ１と起動応答信号ＳＩＧ３との間の時間を特定する。この「起動応答要求信号ＳＩＧ１と起動応答信号ＳＩＧ２との間の時間」を特定するための各信号における基準位置は任意であるが、例えば、図３のエッジＥｄ１及びエッジＥｄ２を基準位置として、エッジＥｄ１とエッジＥｄ２との間の時間を特定してもよいし、エッジＥｄ３及びエッジＥｄ２を基準位置として、エッジＥｄ３とエッジＥｄ２との間の時間を特定してもよいが、以下では、エッジＥｄ１とエッジＥｄ２との間の時間を特定する場合について説明する。なお、「起動応答要求信号ＳＩＧ１と起動応答信号ＳＩＧ３との間の時間」についても、「起動応答要求信号ＳＩＧ１と起動応答信号ＳＩＧ２との間の時間」と同様にして特定することができるが、以下では、エッジＥｄ１及びエッジＥｄ４を基準位置として、エッジＥｄ１とエッジＥｄ４との間の時間を特定する場合について説明する。次に、前述のようにして特定したエッジＥｄ１とエッジＥｄ２との間の時間（例えば、Ｔ１ミリ秒）を、主携帯機としての携帯機１２０の送信開始時間として特定し、エッジＥｄ１とエッジＥｄ４との間の時間（例えば、Ｔ２ミリ秒）を、予備携帯機としての携帯機１２０の送信開始時間として特定する。
【００４０】
図１に戻って、制御部３２は、車載中継機１０を制御する制御手段であり、具体的には、ＣＰＵ、当該ＣＰＵ上で解釈実行される各種のプログラム（ＯＳなどの基本制御プログラムや、ＯＳ上で起動され特定機能を実現するアプリケーションプログラムを含む）、及びプログラムや各種のデータを格納するためのＲＡＭの如き内部メモリを備えて構成されるコンピュータである。特に、実施の形態に係るプログラムは、任意の記録媒体又はネットワークを介して車載中継機１０にインストールされることで、制御部３２の各部（各機能）を実質的に構成する（後述する制御部４２も同様とする）。
【００４１】
また、図示は省略するが、車載中継機１０は、無線通信を行うためのアンテナを備える。なお、車載中継機１０に対する電源は、車両から公知の方法で取得される。
【００４２】
（構成−車両遠隔操作システム−携帯中継機）
車両遠隔操作システム１の携帯中継機２０は、操作スイッチ２１と、携帯機１２０及び車載中継機１０と通信するための送受信回路２２と、記憶部４１と、制御部４２を備えて構成されている。
【００４３】
操作スイッチ２１は、車両の所定機器に対する操作指示を受け付けるための操作手段であり、本実施の形態においては、車両のエンジンを始動の操作指示を受け付けるためのエンジン始動スイッチであって、例えば、公知の押しボタンスイッチとして構成されている。
【００４４】
送受信回路２２は、具体的には、基本送受信回路２３と、中継送受信回路２４を備える。基本送受信回路２３は、携帯機１２０との間で無線通信を行う基本送受信手段であって、車載中継機１０から送信された応答要求信号を携帯機１２０に応答要求周波数で無線送信する応答要求信号送信回路２５と、携帯機１２０から応答要求信号に基づいて応答周波数で無線送信された応答信号を受信する応答信号送信回路２６を備える。中継送受信回路２４は、車載中継機１０との間で無線通信を行う中継送受信手段であって、操作信号及び応答信号を車載中継機１０の第１中継受信回路１７に第１中継周波数で無線送信する第１中継送信回路２７（通信手段）と、車載中継機１０の第１中継送信回路１８から第１中継周波数で無線送信された応答要求信号を受信する第１中継受信回路２８を備える。
【００４５】
記憶部４１は、携帯中継機２０の動作に必要なプログラム及び各種のデータを格納する格納手段であり、具体的には、携帯中継機側送信タイミング特定情報を格納する携帯中継機側送信タイミング特定情報格納手段であり、携帯機特定情報を格納している携帯機特定情報格納手段でもある。
【００４６】
図４は、携帯中継機側送信タイミング特定情報の一例を示す図である。「携帯中継機側送信タイミング特定情報」とは、疑似起動応答信号を送信する送信タイミングを特定する情報であり、具体的な構成については、図２の車載中継機側送信タイミング特定情報と同様な情報である。
【００４７】
「携帯機特定情報」とは、現時点において携帯中継機２０と共に用いられている１つのみの携帯機（例えば、主携帯機としての携帯機１２０のみ、又は、予備携帯機としての携帯機１２０のみ）を特定するための情報であり、具体的には、携帯機の１つのみのキーナンバー（例えば、図２に示す「ＫＩＤ０１」のみ、又は、「ＫＩＤ０２」のみ）である。そして、このような携帯機特定情報については、任意の初期情報（例えば、「ＫＩＤ０１」）が格納されており、後述する起動シーケンスの処理において更新される。
【００４８】
制御部４２は、携帯中継機２０を制御する制御手段であり、具体的には、携帯中継機２０の応答要求信号送信回路が応答要求信号を送信してから、携帯中継機２０の応答信号受信回路２６が応答信号を受信するまでの時間を計時する計時手段であり、また、後述する特定情報判定を行う判定手段であり、また、記憶部４１に格納されている携帯機特定情報を更新する情報更新手段である。なお、制御部４２における各処理については後述する。
【００４９】
また、図示は省略するが、携帯中継機２０は、実際には、ＣＰＵ、ＩＣ、及び各種のフィルタと、無線通信を行うためのアンテナと、電源となる電池を備える。このように構成された携帯中継機２０は、携帯機１２０と応答要求周波数での無線通信が可能となるように、携帯機１２０に近い位置で保持される。例えば、このような保持を行うための工夫として、携帯中継機２０の筐体には、キーホルダリングを挿通させるための孔が形成されており、携帯機１２０と携帯中継機２０を共通のキーホルダリングで保持することで、携帯中継機２０を携帯機１２０に対して近い位置に容易に保持することが可能となる。
【００５０】
（周波数）
次に、無線通信に使用する周波数について説明する。車両制御装置１１０と車載中継機１０との相互間や携帯機１２０と携帯中継機２０との相互間における無線通信で使用する応答要求周波数と応答周波数は、それぞれ、車両制御装置１１０と携帯機１２０の相互間の無線通信で使用する応答要求周波数と応答周波数と同一の周波数に設定されている。ここで、これら応答要求周波数や応答周波数が、車両のメーカーや車種によって異なる場合には、これらの各周波数を各車両について試験により予め特定しておき、車両遠隔操作システム１を設置する車両のメーカーや車種に応じた周波数を、車載中継機１０や携帯中継機２０に設定する。以下では、応答要求周波数がＬＦ（具体的には１２５ｋＨｚ）であり、応答周波数がＵＨＦ（より一般的にはＲＦ（Radio Frequency）であり、具体的には３１５ＭＨｚ）であるものとして説明する。
【００５１】
（処理）
次に、上記のように構成された車両遠隔操作システム１を用いて行われる車両遠隔操作処理について説明する。図５及び図６は、本実施の形態に係る車両遠隔操作処理のフローチャートである。以下の処理の説明において、制御主体を特記しない処理については、車両制御装置１１０、又は携帯機１２０のＭＰＵ、車載中継機１０の制御部３２、又は携帯中継機２０の制御部４２にて実行されるものとし、情報の取得元や取得経路を特記しない場合については、公知のタイミング及び公知の方法にて、各機の記憶部に予め格納されており、あるいは、各機に設けた図示しない操作手段を介して運転者等が入力されるものとする。また、ステップを「Ｓ」と略記する。
【００５２】
（処理−起動シーケンス）
携帯機１２０及び携帯中継機２０を保有する運手者は、車外において携帯中継機２０の操作スイッチ２１を押圧することによりエンジンの始動を指示する。携帯中継機２０は、操作スイッチ２１に対する運転者の操作の有無を監視しており、操作スイッチ２１に対する操作を受け付けた場合（ＳＡ１）、起動シーケンス（図示は省略）を実行する。具体的には、最初に、携帯中継機２０の第１中継送信回路２７は、キャリアセンスを行った上で、操作信号を第１中継周波数（例：ＵＨＦ＝９２０ＭＨｚ）にて送信し、携帯中継機２０における記憶部４１の携帯機特定情報も送信する（ＳＡ２）。「操作信号」とは、操作するための信号であって、車載中継機１０を介して車両制御装置１１０を始動させることにより、起動シーケンスを開始させるための信号である。
【００５３】
この操作信号及び携帯機特定情報が車載中継機１０の第１中継受信回路１７によって受信されると（ＳＡ３）、出力部１２は条件出力を車両制御装置１１０に有線出力する（ＳＡ４）。この条件出力が車両制御装置１１０によって受け付けられると（ＳＡ５）、車両制御装置１１０は、このように有線出力された条件出力が、運転者が所定の起動操作を行った場合に行われる出力と同一の出力であることから、所定の起動操作が行われた際の出力を受け付けた場合と同様の処理を行う。すなわち、車両制御装置１１０の応答要求信号送信回路１１２は、起動応答要求信号を応答要求周波数で携帯機１２０に無線送信する（ＳＡ６）。この携帯機１２０に対する起動応答要求信号は、車外にある携帯機１２０には到達せず、車内にある車載中継機１０の応答要求信号受信回路１５により受信される。このように起動応答要求信号が応答要求信号受信回路１５により受信されると（ＳＡ７）、ＳＡ８及びＳＡ１２に移行する。
【００５４】
ＳＡ８において車載中継機１０の制御部３２は、送信タイミングを特定する。具体的には、記憶部３１に記憶されている図２の車載中継機側送信タイミング特定情報のうちの、ＳＡ３において受信した携帯機特定情報に対応する送信タイミングを特定する。ここでは、例えば、ＳＡ３において受信した携帯機特定情報が「ＫＩＤ０１」である場合、「Ｔ１ミリ秒」を特定し、ＳＡ３において受信した携帯機特定情報が「ＫＩＤ０２」である場合、「Ｔ２ミリ秒」を特定する。
【００５５】
次に、ＳＡ９において車載中継機１０の応答信号送信回路１６は、疑似起動応答信号（ここでは、無変調キャリア）を車両制御装置１１０に無線送信する。具体的には、ＳＡ８において特定した送信タイミングにて疑似起動応答信号を送信する。ここでは、例えば、ＳＡ８において特定した送信タイミングが「Ｔ１ミリ秒」である場合、ＳＡ７において起動応答要求信号を受信してからＴ１ミリ秒後に、疑似起動応答信号を送信し、ＳＡ８において特定した送信タイミングが「Ｔ２ミリ秒」である場合、ＳＡ７において起動応答要求信号を受信してからＴ２ミリ秒後に、疑似起動応答信号を送信する。
【００５６】
この疑似起動応答信号が車両制御装置１１０の応答信号受信回路１１３によって受信されると（ＳＡ１０）、ＳＡ１１において車両制御装置１１０は、当該受信した疑似起動応答信号が携帯機１２０から無線送信される起動応答信号と内容及び周波数に関して同一の信号であることから、携帯機１２０から送信された起動応答信号を直接受信した場合と同様の処理を行う。すなわち、車両制御装置１１０は、疑似起動応答信号に基づいて、所定の認証シーケンス開始条件が充足したか否かを判定する（図示省略）。この判定について具体的には、起動応答要求信号を送信してからＴ１ミリ秒後（つまり、主携帯機のタイミング）、又は、起動応答要求信号を送信してからＴ２ミリ秒後（つまり、予備携帯機のタイミング）にて疑似応答信号を受信したか否かを判定する。そして、主携帯機のタイミングにて疑似応答信号を受信したと判定した場合、又は、予備携帯機のタイミングにて疑似応答信号を受信したと判定した場合、認証シーケンス開始条件が充足したものと判定し、主携帯機のタイミングにて疑似応答信号を受信したと判定せず、且つ、予備帯機のタイミングにて疑似応答信号を受信したと判定しなかった場合、認証シーケンス開始条件が充足しなかったものと判定する。なお、この判定については、携帯機１２０の仕様等に基づくタイミングのずれ等に関するマージンを設定して、疑似応答信号を受信するタイミングが、基準となるタイミング（つまり、Ｔ１ミリ秒、及び、Ｔ２ミリ秒）各々の５０パーセント以内程度ずれている場合においても、当該基準となるタイミングにて受信したものと判定するようにしてもよい。そして、所定の認証シーケンス開始条件が充足したものと判定した場合には、疑似応答信号を受信したタイミング（つまり、主携帯機のタイミング、又は、予備携帯機のタイミング）を特定し、当該特定結果に基づいて対応する携帯機（ここでは、主携帯機としての携帯機１２０、又は、予備携帯機としての携帯機１２０）を特定し、特定した携帯機についての認証シーケンスを実行する。実行する認証シーケンスについて具体的には、疑似起動応答信号を受信したタイミングとして「主携帯機のタイミング」を特定した場合、主携帯機としての携帯機１２０についての認証シーケンスを実行し、疑似起動応答信号を受信したタイミングとして「予備携帯機のタイミング」を特定した場合、予備携帯機としての携帯機１２０についての認証シーケンスを実行する。なお、車両制御装置１１０は、認証シーケンス開始条件が一部でも充足していないものと判定した場合には、認証シーケンスを実行することなく、車両遠隔操作処理を終了する。
【００５７】
図５に戻って、ＳＡ１２において車載中継機１０の第１中継送信回路１８は、この起動応答要求信号を第１中継周波数に変調する。ＳＡ１２における変調手法については任意であるが、ここでは、ＳＡ７で受信した起動応答要求信号のエンベロープを検出し、当該検出したエンベロープのみを２値のＦＳＫ（Ｆｒｅｑｕｅｎｃｙ  Ｓｈｉｆｔ  Ｋｅｙｉｎｇ）方式にて変調するものとする。そして、第１中継送信回路１８は、変調した起動応答要求信号を携帯中継機２０に無線送信する（ＳＡ１３）。
【００５８】
この起動応答要求信号が携帯中継機２０の第１中継受信回路２８によって受信されると（ＳＡ１４）、第１中継受信回路２８は起動応答要求信号を応答要求周波数に復調して応答要求信号送信回路２５に送る（ＳＡ１５）。
【００５９】
この後の処理において、携帯中継機２０の制御部４２は、起動応答信号の応答時間を計時し、特定情報判定を行う。ここで、「起動応答信号の応答時間」とは、後述するＳＡ１６において起動応答要求信号を送信してから、ＳＡ１９において起動応答信号を受信するまでの時間である。また、「特定情報判定」とは、図１の記憶部４１に記憶されている携帯機特定情報についての判定であり、具体的には、当該携帯機特定情報が起動応答信号の応答時間に対応しているか否かの判定である。
【００６０】
図５に戻って、応答要求信号送信回路２５は起動応答要求信号を応答要求周波数で携帯機１２０に無線送信する（ＳＡ１６）。ＳＡ１６で無線送信された起動応答要求信号が携帯機１２０の応答要求信号受信回路１２２によって受信されると（ＳＡ１７）、携帯機１２０は、このように携帯中継機２０から無線送信された起動応答要求信号がＳＡ６において車両制御装置１１０から無線送信された起動応答要求信号と内容及び周波数に関して同一の信号であることから、車両制御装置１１０から送信された起動応答要求信号を直接受信した場合と同様の処理を行う。すなわち、携帯機１２０は、所定の起動応答信号を生成し、応答信号送信回路１２３がこの起動応答信号（ここでは、無変調キャリア）を、自己に設定されているタイミングにて無線送信する（ＳＡ１８）。このＳＡ１８では、例えば、主携帯機としての携帯機１２０は、ＳＡ１７において起動応答要求信号を受信してからＴ１ミリ秒後に起動応答信号を送信し、予備携帯機としての携帯機１２０は、ＳＡ１７において起動応答要求信号を受信してからＴ２ミリ秒後に起動応答信号を送信する。
【００６１】
この起動応答信号が携帯中継機２０の応答信号受信回路２６によって受信されると（ＳＡ１９）、ＳＡ２０において携帯中継機２０の制御部４２は、特定情報判定を行う。具体的には、制御部４２は、起動応答信号の応答時間に基づいて、特定情報判定を行う。なお、この判定に用いられる「起動応答信号の応答時間」については、ＳＡ１６において起動応答要求信号を送信してから、ＳＡ１９において起動応答信号を受信するまでの時間を制御部４２が計時し、当該計時した時間を用いるものとする。なお、制御部４２は、任意の計時手法を用いて計時することができるが、例えば、ＲＳＳＩ（Ｒｅｃｅｉｖｅｄ Ｓｉｇｎａｌ  Ｓｔｒｅｎｇｔｈ  Ｉｎｄｉｃａｔｏｒ）回路の如きレベル検出手段を用いて各信号における所定のエッジを検出して、当該検出したエッジを利用して計時することもできる。ここでは、例えば、携帯機１２０が主携帯機である場合、「Ｔ１ミリ秒」を計時し、携帯機１２０が予備携帯機である場合、「Ｔ２ミリ秒」を計時する。
【００６２】
特定情報判定について具体的には、まず、記憶部４１に格納されている携帯中継機側送信タイミング特定情報において、記憶部４１に格納されている携帯機特定情報に対応する送信タイミングを特定する。次に、当該特定した送信タイミングが前述の計時した「起動応答信号の応答時間」に対応しているか否かに基づいて、携帯機特定情報が起動応答信号の応答時間に対応しているか否かの判定を行う。ここでは、例えば、記憶部４１の携帯機特定情報が「ＫＩＤ０１」である場合、まず、図４において「送信タイミング」＝「Ｔ１ミリ秒」を特定する。次に、当該特定した「Ｔ１ミリ秒」が前述の計時した「起動応答信号の応答時間」に対応しているか否かの判定を行う。そして、計時した「起動応答信号の応答時間」がＴ１ミリ秒である場合、特定した送信タイミングである「Ｔ１ミリ秒」が計時した「起動応答信号の応答時間」に対応しているものとし、携帯機特定情報が起動応答信号の応答時間に対応していると判定する。また、計時した「起動応答信号の応答時間」がＴ１ミリ秒ではない場合（例えば、Ｔ２ミリ秒等である場合）、特定した送信タイミングである「Ｔ１ミリ秒」が計時した「起動応答信号の応答時間」に対応していないものとし、携帯機特定情報が起動応答信号の応答時間に対応していないと判定する。なお、この判定については、ＳＡ１１の判定と同様なマージンを設定して、計時した「起動応答信号の応答時間」が、基準となる応答時間（つまり、Ｔ１ミリ秒）の５０パーセント以内程度ずれている場合においても、携帯機特定情報が起動応答信号の応答時間に対応していると判定するようにしてもよい。
【００６３】
図５に戻って、ＳＡ２１において携帯中継機２０の制御部４２は、ＳＡ２０の判定結果に基づいて、必要な場合にのみ、記憶部４１に格納されている携帯機特定情報を更新する。
【００６４】
ＳＡ２１について具体的には、ＳＡ２０において携帯機特定情報が起動応答信号の応答時間に対応していると判定した場合、携帯機特定情報を更新しない。ここでは、例えば、記憶部４１の携帯機特定情報が「ＫＩＤ０１」であり、且つ、計時した「起動応答信号の応答時間」がＴ１ミリ秒であるために、ＳＡ２０において携帯機特定情報が起動応答信号の応答時間に対応していると判定した場合、携帯機特定情報を更新しない。
【００６５】
一方、ＳＡ２０において携帯機特定情報が起動応答信号の応答時間に対応していないと判定した場合、携帯機特定情報を更新する。そして、携帯機特定情報の更新手法について具体的には、図４の携帯中継機側送信タイミング特定情報において、ＳＡ２０の特定情報判定を行うために用いた（計時した）「起動応答信号の応答時間」に対応する送信タイミングを特定し、当該特定した送信タイミングに対応付けられている携帯機を特定し、当該特定した携帯機を特定する情報が携帯機特定情報に記憶されるように更新する。ここでは、例えば、ＳＡ２０の特定情報判定を行うために用いた（計時した）「起動応答信号の応答時間」が「Ｔ２ミリ秒」である場合、図４において「送信タイミング」＝「Ｔ２ミリ秒」を特定し、更に、「携帯機」＝「ＫＩＤ０２」を特定し、「ＫＩＤ０２」が携帯機特定情報に記憶されるように更新する。このように、ＳＡ２１において携帯機特定情報が更新されるために、携帯機特定情報に記憶されている初期情報が、現時点において用いられる携帯機以外の携帯機を特定している場合（つまり、初期情報が正しくない場合）においても、次回以降において、車両の所定機器（例えば、エンジン）を確実に制御することが可能となる。
【００６６】
（処理−認証シーケンス）
図５のＳＡ１１において実行された認証シーケンスにおいて、車両制御装置１１０の応答要求信号送信回路１１２は所定の認証応答要求信号を応答要求周波数で携帯機１２０に無線送信する（図６のＳＡ２２）。具体的には、図５のＳＡ１１において主携帯機としての携帯機１２０についての認証シーケンスを実行した場合、図６のＳＡ２２において、主携帯機のためのチャレンジコードを含む認証応答要求信号を無線送信し、図５のＳＡ１１において予備携帯機としての携帯機１２０についての認証シーケンスを実行した場合、図６のＳＡ２２において、予備携帯機のためのチャレンジコードを含む認証応答要求信号を無線送信する。この携帯機１２０に対する認証応答要求信号は、車外にある携帯機１２０には到達せず、車内にある車載中継機１０の応答要求信号受信回路１５により受信される。
【００６７】
このように認証応答要求信号が応答要求信号受信回路１５により受信されると（ＳＡ２３）、第１中継送信回路１８は、この認証応答要求信号を第１中継周波数に変調し（ＳＡ２４）、第１中継周波数で携帯中継機２０に無線送信する（ＳＡ２５）。この認証応答要求信号が携帯中継機２０の第１中継受信回路２８によって受信されると（ＳＡ２６）、第１中継受信回路２８は認証応答要求信号を応答要求周波数に復調して応答要求信号送信回路２５に送り（ＳＡ２７）、応答要求信号送信回路２５は認証応答要求信号を応答要求周波数で携帯機１２０に無線送信する（ＳＡ２８）。ＳＡ２８について具体的には、ＳＡ２２で無線送信された認証応答要求信号と同一の認証応答要求信号を無線送信する。
【００６８】
この認証応答要求信号が携帯機１２０の応答要求信号受信回路１２２によって受信されると（ＳＡ２９）、携帯機１２０は、このように携帯中継機２０から無線送信された認証応答要求信号がＳＡ２２において車両制御装置１１０から無線送信された認証応答要求信号と、内容及び周波数に関して同一の信号であることから、車両制御装置１１０から送信された認証応答要求信号を直接受信した場合と同様の処理を行う。具体的には、携帯機１２０は、受信した認証応答要求信号に、自己に対応するチャレンジコードが含まれているか否かを判定する（図示省略）。そして、自己に対応するチャレンジコードが含まれていると判定した場合、携帯機１２０に記憶された認証情報を含む所定の認証応答信号を生成し、ＳＡ３０に移行する。また、自己に対応するチャレンジコードが含まれていないと判定した場合、ＳＡ３０に移行せずに、認証シーケンスを終了する。次に、ＳＡ３０において応答信号送信回路１２３は、ＳＡ２９において生成された認証応答信号を応答周波数で車両制御装置１１０に無線送信する。
【００６９】
この認証応答信号が携帯中継機２０の応答信号受信回路２６によって受信されると（ＳＡ３１）、第１中継送信回路２７は認証応答信号を第１中継周波数に変調し（ＳＡ３２）、当該変調した認証応答信号を第１中継周波数で車載中継機１０に無線送信する（ＳＡ３３）。この認証応答信号が車載中継機１０の第１中継受信回路１７によって受信されると（ＳＡ３４）、第１中継受信回路１７は認証応答信号を応答周波数に復調して応答信号送信回路１６に送り（ＳＡ３５）、応答信号送信回路１６は認証応答信号を応答周波数で車両制御装置１１０に無線送信する（ＳＡ３６）。ＳＡ３６について具体的には、ＳＡ３０で無線送信された認証応答信号と同一の認証応答信号を無線送信する。
【００７０】
この認証応答信号が車両制御装置１１０の応答信号受信回路１１３によって受信されると（ＳＡ３７）、車両制御装置１１０は、このように車載中継機１０から無線送信された認証応答信号がＳＡ３０において携帯機１２０から無線送信された認証応答信号と内容や周波数に関して同一の信号であることから、携帯機１２０から送信された認証応答信号を直接受信した場合と同様の処理を行う。すなわち、車両制御装置１１０は、認証応答信号に基づいて、所定の制御条件が充足したか否かを判定する（ＳＡ３８）。具体的には、車両制御装置１１０は、車両のエンジン始動スイッチの操作とブレーキの操作とが行われているか否かを判定するが、ＳＡ５において条件出力を既に受信しているため、これらの操作が行われているものと判定する。また、例えば、車両制御装置１１０は、認証応答信号に含まれる認証情報が自己の記憶部に予め記憶された認証情報と一致するか否かを判定する。さらに、車両制御装置１１０は、ＳＡ６で起動応答要求信号を送信してからその時点までの経過時間が条件充足時間以内であるか否かを判定する。そして、車両制御装置１１０は、これらの制御条件が全て充足していると判定した場合には、エンジンを始動するための所定の制御を行う（ＳＡ３９）。例えば、車両制御装置１１０は、エンジンを始動するための制御条件が充足したことを示す信号をＥＣＵに暗号化送信し、この信号を受信して復号化したＥＣＵがエンジンのスタータモータを起動することにより、エンジンを始動する。これにて車両遠隔操作処理が終了する。なお、車両制御装置１１０は、制御条件が一部でも充足していないと判定した場合には、何ら制御を行うことなく、車両遠隔操作処理を終了する。
【００７１】
（実施の形態の効果）
このように本実施の形態によれば、車両制御装置１１０から送信された応答要求信号を受信した場合に、記憶部３１に格納されている送信タイミング特定情報に基づいて、疑似応答信号を車両制御装置１１０に送信するために、例えば、応答要求信号を受信してから極めて短時間で疑似応答信号を送信することができるので、車両制御装置１１０が車両を制御するための条件を満たすことができ、車両を確実に遠隔操作することが可能になる。
【００７２】
また、携帯中継機２０から無線送信された携帯機特定情報を受信し、記憶部３１に格納されている送信タイミング特定情報における、当該受信した携帯機特定情報に対応する送信タイミングに基づいて、疑似応答信号を車両制御装置１１０に送信するために、例えば、主携帯機及び予備携帯機としての携帯機１２０各々において適切な送信タイミングで、疑似応答信号を送信することができるので、車両制御装置１１０が車両を制御するための条件を確実に満たすことができ、車両を確実に遠隔操作することが可能になる。
【００７３】
また、記憶部４１に格納されている携帯機特定情報が制御部４２の計時結果に対応しているか否かを判定し、当該判定の結果に基づいて、携帯中継機２０の記憶部４１に格納されている携帯機特定情報を更新するために、例えば、携帯機特定情報格納手段に格納されている携帯機特定情報を適切な情報に更新することができるので、車両制御装置１１０が車両を制御するための条件を確実に満たすことができ、車両を確実に遠隔操作することが可能になる。
【００７４】
〔実施の形態に対する変形例〕
以上、本発明に係る実施の形態について説明したが、本発明の具体的な構成及び手段は、特許請求の範囲に記載した各発明の技術的思想の範囲内において、任意に改変及び改良することができる。以下、このような変形例について説明する。
【００７５】
（解決しようとする課題や発明の効果について）
まず、発明が解決しようとする課題や発明の効果は、前記した内容に限定されるものではなく、本発明によって、前記に記載されていない課題を解決したり、前記に記載されていない効果を奏することもでき、また、記載されている課題の一部のみを解決したり、記載されている効果の一部のみを奏することがある。例えば、本発明に係る車両遠隔操作システム１による遠隔操作性能が、従来の車両遠隔操作システムと同程度となる場合であっても、本発明に係る車両遠隔操作システム１によって、車両を遠隔操作することが可能になる場合には、本発明の課題が解決されている。
【００７６】
（分散や統合について）
また、上述した各電気的構成要素は機能概念的なものであり、必ずしも物理的に図示の如く構成されていることを要しない。すなわち、各部の分散や統合の具体的形態は図示のものに限られず、その全部または一部を、各種の負荷や使用状況などに応じて、任意の単位で機能的又は物理的に分散したり統合したりして構成できる。例えば、携帯中継機２０における基本送受信回路２３と中継送受信回路２４を物理的には１つの回路により構成してもよい。また、例えば、車載中継機１０における基本送受信回路１３と中継送受信回路１４を物理的には１つの回路により構成してもよい。
【００７７】
（無変調キャリアについて）
上記実施の形態では、携帯機１２０が認証応答信号及び起動応答信号のうちの起動応答信号として無変調キャリアを送信する場合について説明したが、これに限られない。例えば、携帯機１２０が認証応答信号及び起動応答信号のうちの認証応答信号として無変調キャリアを送信するようにしてもよいし、携帯機１２０が認証応答信号として無変調キャリアを送信し、且つ、起動応答信号として無変調キャリアを送信するようにしてもよい。この場合、図６のＳＡ２３〜ＳＡ３６の代わりに図５のＳＡ７〜ＳＡ９、及びＳＡ１２〜ＳＡ２１の処理を行うようにしてもよい。
【００７８】
（信号のタイミングについて）
上記実施の形態では、図３において起動応答信号ＳＩＧ２、ＳＩＧ３の送信タイミングが、起動応答要求信号ＳＩＧ１の後である場合について説明したが、これに限られない。例えば、起動応答信号ＳＩＧ２、ＳＩＧ３の送信タイミングが、起動応答要求信号ＳＩＧ１中（つまり、起動応答信号ＳＩＧ２、ＳＩＧ３が起動応答要求信号ＳＩＧ１におけるエッジＥｄ１とエッジＥｄ２との間）になるようにしてもよい。この場合、図３における起動応答要求信号ＳＩＧ１のエッジＥｄ３を基準位置として、起動応答要求信号に対する起動応答信号のタイミングを特定するようにしてもよい。
【００７９】
（携帯機の数について）
上記実施の形態では、図１の携帯機１２０について、「主携帯機」及び「予備携帯機」が１つずつ設けられている場合について説明したが、これに限られない。例えば、「主携帯機」及び「予備携帯機」が複数個ずつ設けられてものとしてもよいし、「主携帯機」又は「予備携帯機」の何れか一方が１つのみ設けられているものとしてもよい。
【００８０】
（オーバヘッド時間について）
上記実施の形態の図２の車載中継機側送信タイミング特定情報については、図５のＳＡ８の処理時間等をオーバヘッド時間として考慮して、図３に示す各信号においてＴ１ミリ秒及びＴ２ミリ秒各々よりも僅かに短い時間等を設定するようにしてもよい。
【００８１】
（車両遠隔操作システムの構成について）
上記実施の形態では、車両遠隔操作システム１が車載中継機１０と携帯中継機２０により構成される例について説明したが、その他の機器を含めて車両遠隔操作システム１を構成してもよく、例えば、車両から極めて遠い場所から遠隔操作を行うような場合に、車載中継機１０と携帯中継機２０との無線通信を中継する中継機をさらに設置してもよい。また、１台の車載中継機１０に対して複数台の携帯中継機２０を通信可能としてもよい。また、必要に応じて、車載中継機１０を車両制御装置１１０以外の機器に無線又は有線で接続するようにしてもよい。なお、車両遠隔操作システム１の配置に関して、各実施の形態では、携帯中継機２０を携帯機１２０と共に車外に配置した状態で操作するものとして説明したが、携帯中継機２０を携帯機１２０と車内に配置してもよい。
【００８２】
上記実施の形態では、車両遠隔操作システム１が車載中継機１０と携帯中継機２０とが第１中継周波数にて無線通信する例について説明したが、他の周波数にて無線通信するようにしてもよい。例えば、第２中継周波数（例えば、４２９ＭＨｚ）にて無線通信するようにしてもよく、第１中継周波数及び第２中継周波数にて無線通信するようにしてもよい。
【００８３】
（接続形態について）
上記実施の形態では、車両制御装置１１０と車載中継機１０との相互間の通信（出力部１２からの出力を除く）や、携帯機１２０と携帯中継機２０との相互間の通信を、無線通信で行うものとして説明したが、有線接続してもよい。
【００８４】
（周波数について）
上記の説明において数値にて示した周波数はあくまで例示であり、他の周波数を採用してもよい。また、起動シーケンスに使用する中継周波数と認証シーケンスに使用する中継周波数を相互に異なる周波数としてもよい。
【００８５】
（処理について）
上記説明した処理の順序やタイミングは、適宜変更することが可能である。例えば、上記実施の形態では、携帯中継機２０からの操作信号をトリガとして、車両制御装置１１０が起動応答要求信号を送信する場合について説明したが、操作信号の有無に関わらず、車両制御装置１１０が所定間隔で起動応答要求信号を送信するように構成されている場合には、操作信号の送信に関する処理に先立って、起動応答要求信号の中継に関する処理を行うようにしてもよい。
【００８６】
（携帯機特定情報の更新について）
上記実施の形態では、図５のＳＡ２１において、必要な場合にのみ携帯機特定情報を更新する場合について説明したが、これに限られない。例えば、ＳＡ２０の判定結果に関わらず、ＳＡ２１を実行する毎に携帯機特定情報を更新するようにしてもよい。
【００８７】
（携帯機特定情報の初期情報について）
上記実施の形態では、図１の記憶部４１の携帯機特定情報について、任意の初期情報（例えば、「ＫＩＤ０１」）が格納されている場合について説明したが、これに限られない。例えば、図１の記憶部４１の携帯機特定情報について初期情報が格納されておらずに、学習処理を行うことにより情報が格納されるようにしてもよい。ここで、「学習処理」とは、携帯機特定情報を最初に格納する（つまり、学習する）ための処理であり、例えば、任意のキーナンバーと共に操作信号を送信することにより起動シーケンスのみを実行して携帯機特定情報を格納する処理、又は、携帯中継機２０が起動応答要求信号を出力できるように構成した上で、図５のＳＡ１６〜ＳＡ２１のみを実行する処理等である。
【００８８】
（起動応答要求信号に対する起動応答信号のタイミングについて）
上記実施の形態では、図３の起動応答要求信号ＳＩＧ１に対する起動応答信号ＳＩＧ２のタイミングについて、エッジＥｄ１とエッジＥｄ２との間の時間を基準にして各処理を行う場合について説明したが、これに限られない。例えば、エッジＥｄ１とエッジＥｄ５との間の時間、エッジＥｄ３とエッジＥｄ２との間の時間、エッジＥｄ３とエッジＥｄ５との間の時間、又はエッジＥｄ３とエッジＥｄ１との間のエッジと、エッジＥｄ２又はエッジＥｄ５との間の時間を基準にして各処理を行ってもよい。つまり、「応答要求信号を送信してから、応答信号を受信するまでの時間」については、実施の形態に示すように、図３の起動応答要求信号ＳＩＧ１の送信終了時から起動応答信号ＳＩＧ２の受信開始時までの時間であってもよいし、変形例に示すように、起動応答要求信号ＳＩＧ１の送信終了時から起動応答信号ＳＩＧ２の受信終了時までの時間であってもよいし、起動応答要求信号ＳＩＧ１の送信開始時から起動応答信号ＳＩＧ２の受信開始時までの時間であってもよいし、起動応答要求信号ＳＩＧ１の送信開始時から起動応答信号ＳＩＧ２の受信終了時までの時間であってもよいし、起動応答要求信号ＳＩＧ１の送信開始時と送信終了時との間の時間（時刻）から、起動応答信号ＳＩＧ２の受信開始時又は受信終了時までの時間であってもよい。なお、起動応答要求信号ＳＩＧ１に対する起動応答信号ＳＩＧ３のタイミングについても、起動応答要求信号ＳＩＧ１に対する起動応答信号ＳＩＧ２のタイミングと同様に定義して、各処理を行ってもよい。
【００８９】
（認証シーケンス開始条件について）
上記実施の形態では、所定の態様として予め設定されているタイミングにて起動応答信号を受信したことを、認証シーケンス開始条件として設定する場合について説明したが、これに限られない。例えば、所定の態様として予め設定されているレベルの起動応答信号を受信したことを、認証シーケンス開始条件として設定してもよい。この場合、図１の携帯機１２０については、起動応答要求信号を受信した場合に、自己に設定されているレベルの起動応答信号を無線送信するように構成する。また、車載中継機１０については、各携帯機１２０の起動応答信号のレベルを特定する車載中継機側送信レベル特定情報（車載中継機側送信態様特定情報）を記憶部３１（車載中継機側送信態様特定情報格納手段）に格納するようにし、起動応答要求信号を受信した場合に、車載中継機側送信レベル特定情報が特定するレベルの疑似起動応答信号を車両制御装置１１０に送信するように構成する。また、携帯中継機２０については、車載中継機側送信レベル特定情報と同様な携帯中継機側送信レベル特定情報と、実施の形態における携帯機特定情報とを記憶部４１に格納するように構成する。そして、図５において「タイミング」に関する処理に代えて「レベル」に関する処理を行うようにする。具体的には、ＳＡ７において起動応答要求信号を受信した車載中継機１０は、ＳＡ８において記憶部３１の車載中継機側送信レベル特定情報に基づいて疑似応答信号のレベルを特定し、ＳＡ９において当該特定したレベルの疑似応答信号を送信する。また、ＳＡ２０において携帯中継機２０は、ＳＡ１９で受信した起動応答信号のレベル及び記憶部４１の携帯中継機側送信レベル特定情報に基づいて、携帯機特定情報が起動応答信号のレベルに対応しているか否かを判定し、ＳＡ２１において当該ＳＡ２０の判定結果に基づいて、必要な場合にのみ携帯機特定情報を更新する。なお、この変形例の処理について、上述において特記した処理以外の処理については、図５及び図６についての実施の形態での各処理と同様な処理を実行するものとする。また、実施の形態と変形例とを組み合わせて、「予め設定されているタイミングにて起動応答信号を受信し、且つ、予め設定されているレベルの起動応答信号を受信したこと」を、認証シーケンス開始条件として設定してもよい。この場合、実施の形態及び変形例における各処理を、必要に応じて任意に組み合わせて実行するものとする。
【００９０】
（付記）
付記１の車両遠隔操作システムは、車両制御装置と携帯機を相互に無線通信可能として構成された車両制御システムであって、前記車両制御装置から無線送信された応答要求信号に基づいて前記携帯機が応答信号を無線送信し、当該応答信号を所定の態様で受信したことを条件の少なくとも一つとして前記車両制御装置が車両の所定機器を制御する車両制御システム、を介して前記所定機器を遠隔操作する車両遠隔操作システムであって、前記車両制御装置と通信可能な車載中継機、を備え、前記車載中継機は、前記応答信号として機能する疑似応答信号を送信する送信態様を特定する情報である送信態様特定情報を格納する車載中継機側送信態様特定情報格納手段と、前記車両制御装置から送信された前記応答要求信号を受信した場合に、前記車載中継機側送信態様特定情報格納手段に格納されている前記送信態様特定情報に基づいて、前記疑似応答信号を前記車両制御装置に送信する通信手段とを備える。
【００９１】
また、付記２の車両遠隔操作システムは、付記１に記載の車両遠隔操作システムにおいて、前記所定の態様は、所定のタイミングであり、前記車載中継機の前記車載中継機側送信態様特定情報格納手段は、前記疑似応答信号を送信する送信タイミングを特定する情報である送信タイミング特定情報を、前記送信態様特定情報として格納する車載中継機側送信タイミング特定情報格納手段、を有しており、前記車載中継機の前記通信手段は、前記車両制御装置から送信された前記応答要求信号を受信した場合に、前記車載中継機側送信タイミング特定情報格納手段に格納されている前記送信タイミング特定情報に基づいて、前記疑似応答信号を前記車両制御装置に送信する。
【００９２】
また、付記３の車両遠隔操作システムは、付記２に記載の車両遠隔操作システムにおいて、前記携帯機は、複数設けられており、前記車載中継機の前記車載中継機側送信タイミング特定情報格納手段は、複数の前記携帯機各々に対応付けられている前記送信タイミングを特定する情報を、前記送信タイミング特定情報として格納し、前記車両遠隔操作システムは、前記車載中継機と通信可能な携帯中継機、を備え、前記携帯中継機は、前記携帯機を特定する携帯機特定情報を格納する携帯機特定情報格納手段と、前記携帯機特定情報格納手段に格納されている前記携帯機特定情報を前記車載中継機に無線送信する通信手段とを備え、前記車載中継機の前記通信手段は、前記携帯中継機から無線送信された前記携帯機特定情報を受信し、前記車載中継機側送信タイミング特定情報格納手段に格納されている前記送信タイミング特定情報における、当該受信した携帯機特定情報に対応する前記送信タイミングに基づいて、前記疑似応答信号を前記車両制御装置に送信する
【００９３】
また、付記４の車両遠隔操作システムは、付記３に記載の車両遠隔操作システムにおいて、前記車載中継機の前記通信手段は、前記車両制御装置から送信された前記応答要求信号を受信して前記携帯中継機に無線送信し、前記携帯中継機の前記通信手段は、前記車載中継機から無線送信された前記応答要求信号を受信して前記携帯機に送信すると共に、前記携帯機から前記応答要求信号に基づいて送信された前記応答信号を受信し、前記携帯中継機は、複数の前記携帯機各々に対応付けられている前記送信タイミングを特定する情報を、前記送信タイミング特定情報として格納する携帯中継機側送信タイミング特定情報格納手段と、前記携帯中継機の前記通信手段が前記応答要求信号を送信してから、前記携帯中継機の前記通信手段が前記応答信号を受信するまでの時間を計時する計時手段と、前記携帯中継機側送信タイミング特定情報格納手段に格納されている前記送信タイミング特定情報に基づいて、前記携帯機特定情報格納手段に格納されている前記携帯機特定情報が、前記計時手段の計時結果に対応しているか否かを判定する判定手段と、前記判定手段の判定結果に基づいて、前記携帯中継機の前記携帯機特定情報格納手段に格納されている前記携帯機特定情報を更新する情報更新手段とを備える。
【００９４】
また、付記５の車載中継機は、車両制御装置と携帯機を相互に無線通信可能として構成された車両制御システムであって、前記車両制御装置から無線送信された応答要求信号に基づいて前記携帯機が応答信号を無線送信し、当該応答信号を所定の態様で受信したことを条件の少なくとも一つとして前記車両制御装置が車両の所定機器を制御する車両制御システム、を介して前記所定機器を遠隔操作する車両遠隔操作システム、を構成する車載中継機であって、前記応答信号として機能する疑似応答信号を送信する送信態様を特定する情報である送信態様特定情報を格納する車載中継機側送信態様特定情報格納手段と、前記車両制御装置から送信された前記応答要求信号を受信した場合に、前記車載中継機側送信態様特定情報格納手段に格納されている前記送信態様特定情報に基づいて、前記疑似応答信号を前記車両制御装置に送信する通信手段とを備える。
【００９５】
（付記の効果）
付記１に記載の車両遠隔操作システム、又は付記５に記載の車載中継機によれば、車両制御装置から送信された応答要求信号を受信した場合に、車載中継機側送信態様特定情報格納手段に格納されている送信態様特定情報に基づいて、疑似応答信号を車両制御装置に送信するために、例えば、所定の態様にて疑似応答信号を送信することができるので、車両制御装置が車両を制御するための条件を満たすことができ、車両を確実に遠隔操作することが可能になる。
【００９６】
付記２に記載の車両遠隔操作システムによれば、車両制御装置から送信された応答要求信号を受信した場合に、車載中継機側送信タイミング特定情報格納手段に格納されている送信タイミング特定情報に基づいて、疑似応答信号を車両制御装置に送信するために、例えば、応答要求信号を受信してから極めて短時間で疑似応答信号を送信することができるので、車両制御装置が車両を制御するための条件を満たすことができ、車両を確実に遠隔操作することが可能になる。
【００９７】
また、付記３に記載の車両遠隔操作システムによれば、携帯中継機から無線送信された携帯機特定情報を受信し、車載中継機側送信タイミング特定情報格納手段に格納されている送信タイミング特定情報における、当該受信した携帯機特定情報に対応する送信タイミングに基づいて、疑似応答信号を車両制御装置に送信するために、例えば、複数の携帯機各々において適切な送信タイミングで、疑似応答信号を送信することができるので、車両制御装置が車両を制御するための条件を確実に満たすことができ、車両を確実に遠隔操作することが可能になる。
【００９８】
また、付記４に記載の車両遠隔操作システムによれば、携帯機特定情報格納手段に格納されている携帯機特定情報が、計時手段の計時結果に対応しているか否かを判定し、当該判定の結果に基づいて、携帯中継機の携帯機特定情報格納手段に格納されている携帯機特定情報を更新するために、例えば、携帯機特定情報格納手段に格納されている携帯機特定情報を適切な情報に更新することができるので、車両制御装置が車両を制御するための条件を確実に満たすことができ、車両を確実に遠隔操作することが可能になる。
【符号の説明】
【００９９】
１  車両遠隔操作システム
１０  車載中継機
１１  送受信回路
１２  出力部
１３  基本送受信回路
１４  中継送受信回路
１５  応答要求信号受信回路
１６  応答信号送信回路
１７  第１中継受信回路
１８  第１中継送信回路
２０  携帯中継機
２１  操作スイッチ
２２  送受信回路
２３  基本送受信回路
２４  中継送受信回路
２５  応答要求信号送信回路
２６  応答信号受信回路
２７  第１中継送信回路
２８  第１中継受信回路
３１  記憶部
３２  制御部
４１  記憶部
４２  制御部
１００  車両制御システム
１１０  車両制御装置
１１１  基本送受信回路
１１２  応答要求信号送信回路
１１３  応答信号受信回路
１２０  携帯機
１２１  基本送受信回路
１２２  応答要求信号受信回路
１２３  応答信号送信回路
Ｅｄ１  エッジ
Ｅｄ２  エッジ
Ｅｄ３  エッジ
Ｅｄ４  エッジ
Ｅｄ５  エッジ
ＳＩＧ１  起動応答要求信号
ＳＩＧ２  起動応答信号
ＳＩＧ３  起動応答信号
【図１】
0006437374.tif 000002
【図２】
0006437374.tif 000003
【図３】
0006437374.tif 000004
【図４】
0006437374.tif 000005
【図５】
0006437374.tif 000006
【図６】
0006437374.tif 000007